(57)【要約】【課題】  美観を損なうことなく気密性の高い車両用表示装置を提供する。【解決手段】  本発明に係る車両用表示装置１は、画像を表示する液晶表示パネル（表示パネル）１０と、表示パネル１０の前面に配設されたボンディング層２０と、ボンディング層２０により表示パネル１０の前面に接着された保護パネル３０と、保護パネル３０の前面に配設された保護フィルム４０と、保護パネル３０及び保護フィルム４０の端部に配設される緩衝部材７０と、緩衝部材７０を覆う枠体８０と、を備え、緩衝部材７０は、保護フィルム４０の前面端部を覆う第１庇部７１を設けると共に、枠体８０は、第１庇部７１を前面から視認できないように隠蔽する第２庇部８１を設ける。【選択図】  図２
2015145979.tif 000002
【特許請求の範囲】
【請求項１】
画像を表示する表示パネルと、
前記表示パネルの前面に配設されたボンディング層と、
前記ボンディング層により前記表示パネルの前面に接着された保護パネルと、
前記保護パネルの前面に配設された保護フィルムと、
前記保護パネル及び前記保護フィルムの端部に配設される緩衝部材と、
前記緩衝部材を覆う枠体と、
を備えた車両用表示装置において、
前記緩衝部材は、前記保護フィルムの前面端部を覆う第１庇部を設けると共に、
前記枠体は、前記第１庇部を前面から視認できないように隠蔽する第２庇部を設ける
ことを特徴とする車両用表示装置。
【請求項２】
前記保護フィルムの外形を、前記保護パネルよりも小さくした
ことを特徴とする請求項１に記載の車両用表示装置。
【請求項３】
前記車両用表示装置は、自動二輪車に搭載される計器である
ことを特徴とする請求項１または請求項２に記載の車両用表示装置。
【発明の詳細な説明】
【技術分野】
【０００１】
本発明は、美観を損なうことなく気密性を高めた車両用表示装置に関するものである。
【背景技術】
【０００２】
従来、液晶表示パネルの前面にガラス製保護板と、樹脂製保護板を重ねて貼りつけて液晶表示パネルの表示面を保護する表示装置が特許文献１に開示されている。
【先行技術文献】
【特許文献】
【０００３】
【特許文献１】特開２０１２−８８６０６号公報
【発明の概要】
【発明が解決しようとする課題】
【０００４】
しかしながら、屋外使用する場合においては、ガラス製保護板と樹脂製保護板の張り付け部分の境界に雨水や粉塵が侵入して、保護板が剥がれる虞があった。
【０００５】
本発明は、上記現状を鑑みてなされたものであり、美観を損なうことなく気密性を高めた車両用表示装置を提供することを目的とする。
【課題を解決するための手段】
【０００６】
本発明に係る車両用表示装置は、
画像を表示する表示パネルと、
前記表示パネルの前面に配設されたボンディング層と、
前記ボンディング層により前記表示パネルの前面に接着された保護パネルと、
前記保護パネルの前面に配設された保護フィルムと、
前記保護パネル及び前記保護フィルムの端部に配設される緩衝部材と、
前記緩衝部材を覆う枠体と、
を備えた車両用表示装置において、
前記緩衝部材は、前記保護フィルムの前面端部を覆う第１庇部を設けると共に、
前記枠体は、前記第１庇部を前面から視認できないように隠蔽する第２庇部を設ける。
【０００７】
また、本発明に係る車両用表示装置は、前記保護フィルムの外形を、前記保護パネルよりも小さくした。
【０００８】
また、本発明に係る車両用表示装置は、前記車両用表示装置は、自動二輪車に搭載される計器である。
【発明の効果】
【０００９】
本発明によれば、美観を損なうことなく気密性を高めた車両用表示装置を提供することができる。
【図面の簡単な説明】
【００１０】
【図１】本発明の実施形態を示す正面図。
【図２】同実施形態を示す断面図。
【発明を実施するための形態】
【００１１】
以下、添付図面図１乃至２に基づいて、本発明の実施形態を説明する。
【００１２】
本発明に係る車両用表示装置１は、液晶表示パネル（表示パネル）１０、ボンディング層２０、保護パネル３０、保護フィルム４０、回路基板５０、中ケース６０、外ケース６１、緩衝部材７０、枠体８０、を備えている。
【００１３】
液晶表示パネル１０は、例えば、ＴＦＴ型カラー液晶モジュールからなるものであり、車両速度等の車両情報を表示する。また、液晶表示パネル１０は、マルチドットやセグメントタイプのものや、ＥＬモジュールであっても良く、単色表示やフルカラー表示は問わない。
【００１４】
ボンディング層２０は、液晶表示パネル１０の前面に保護パネル３０をオプティカルボンディングで接着するための無色透明な媒体であり、例えば、２５００〜５０００ｍＰａ・ｓ（ミリパスカル秒）程度の粘度を持つ液状光硬化性樹脂に、ＵＶ照射を行って１．４〜１．５５程度の屈折率を有する樹脂に硬化したものである。また、ボンディング層２０は、液晶表示パネル１０の接着面や保護パネル３０の線膨張係数の違いによる伸縮の差を吸収し、且つ、接着面に剥がれが生じない程度の弾性、接着力を持つように、シリコン系、ウレタン系、アクリル系の光硬化性や熱硬化性などの硬化特性を持つ樹脂で構成する。
【００１５】
保護パネル３０は、液晶表示パネル１０の表示面を保護する保護板で、例えば、平板形状の無機ガラスからなるものであり、正面視で矩形になっている。
【００１６】
また、保護パネル３０の後面には黒色印刷層からなる遮光層３１ａが形成されており、遮光層３１ａに覆われている部分は、保護パネル３０の背面を隠蔽する遮光部３０ａが形成され、遮光層３１ａに覆われていない部分に、液晶表示パネル１０の画像を透視する矩形の窓部３１ｂと、後述する光源６１の光で照明され警告表示する円形の窓部３１ｃを形成する。
【００１７】
保護フィルム４０は、反射防止、防汚、帯電防止、赤外線カット等の機能を有する機能性フィルムであり、背面に後述する透光性接着層４１を形成して保護パネル３０の前面に接着して貼りつけられる。保護フィルム４０は、例えば、ポリ エチレン テレフタラート（ＰＥＴ）、ポリ カーボネート（ＰＣ）、トリ アセチル セルロール（ＴＡＣ）、ポリメタクリル酸メチル樹脂（ＰＭＭＡ）などの樹脂を５０〜５００μｍ程度の厚みでフィルム状に構成する。
【００１８】
また、保護フィルム４０の外形は、保護パネル３０の外形よりも小さく形成されており、保護パネル３０の前面に貼りつける際に、保護パネル３０の外形からはみ出す虞を少なくしている。
【００１９】
透光性接着層４１は、例えばエポキシ系、ウレタン系、アクリル系、シリコン系の透明な光硬化性の樹脂からなり、保護フィルム４０と保護パネル３０との線膨張係数の違いによる伸縮の差を吸収し、且つ、接着面に剥がれが生じない程度の弾性、接着力を持つ。
【００２０】
回路基板５０は、ガラスエポキシ樹脂からなる基材に銅箔からなる配線パターンを形成した基板に、発光素子５１と、車両情報に応じて発光素子５１を発光させたり、液晶表示パネル１０に車両情報を画像表示させるように制御する演算素子などの各種電子部品が実装されている。
【００２１】
中ケース６０は、例えばポリプロピレン（ＰＰ）などの不透明な樹脂からなるものであり、背面側に回路基板５０が配置されている。また、中ケース６０には、発光素子５１に対応する箇所に発光素子５１の照明光を窓部３１ｃへ照射できるような貫通穴を有する。
【００２２】
外ケース６１は、例えばアクリロニトリル エチレン プロピレン ジエン スチレン（ＡＥＳ）やＰＰ等の樹脂からなるもので、回路基板５０や中ケースを格納すると共に、保護板３０を介して液晶表示パネル１０を支持する。
【００２３】
緩衝部材７０は、例えばクロロプレン系、シリコン系、ウレタン系、フッ素系の弾性を持つ樹脂からなるものであり、保護パネル３０と保護フィルム４０の外周端部を覆うように配設する。また、緩衝部材７０は、保護フィルム４０と保護パネル３０の境界部を覆う庇部（第１庇部）７１を設ける。
【００２４】
枠体８０は、例えばステンレス、鉄、などの金属からなり、外ケース６１と緩衝部材７０を介して、保護パネル３０とを加締めて固定する。枠体８０の加締め固定により、緩衝部材７０に圧力が加わり、枠体８０と保護パネル３０との隙間が無くなり気密性が高まる。
【００２５】
また、枠体８０は、緩衝部材７０の庇部７１を前面（液晶表示パネル１０の表示面を視認する側）から視認できないように、庇部（第２庇部）８１を設けて隠蔽する。
【００２６】
上述した通り、本発明に係る車両用表示装置１は、枠体８０と保護フィルム４０間の隙間を、緩衝部材７０の庇部７１で埋めることにより、気密性の高めて防水および防塵効果を得ることができると共に、枠体８０の庇部８１によって緩衝部材７０の庇部７１を前面から視認できないように隠蔽することで車両用表示装置１の美観を損なわない。
【００２７】
また、保護フィルム４０は、保護パネル３０の外形よりも小さく形成して、保護パネル３０の外形からはみ出さないように貼り付けることで、保護フィルム４０が剥がれる虞を低減できる。
【００２８】
なお、本発明に係る車両用表示装置１は、枠体８０と保護フィルム４０間の隙間に侵入する虞が高い環境で利用されるもの、例えば、砂塵が付着する虞の高い建機用計器や、水しぶきに晒される船舶用計器、などに有用であり、特に、常に雨水や粉塵等に晒される虞のある自動二輪車に搭載される計器に適している。
【符号の説明】
【００２９】
１      車両用表示装置
１０    液晶表示パネル（表示パネル）
２０    ボンディング層
３０    保護パネル
３１    遮光層
３１ａ  遮光部
３１ｂ  窓部
３１ｃ  窓部
４０    保護フィルム
４１    接着層
５０    回路基板
５１    光源
６０    中ケース
６１    外ケース
７０    緩衝部材
７１    庇部（第１庇部）
８０    枠体
８１    庇部（第２庇部）
【図１】
2015145979.tif 000003
【図２】
2015145979.tif 000004